(57)【要約】【課題】大きな設置スペースを要せず、家庭内に簡単に設置できて、衣類のしわ伸ばしが可能な衣類処理装置を提供する。【解決手段】衣類処理装置１は、送風機と、送風機から送出された風を加熱する第１加熱器および第２加熱器と、これら加熱器での加熱により生成された加熱風が排出される第１ノズルソケット４１０および第２ノズルソケット４２０と、を含む装置本体２と、ノズルユニット３とを備える。ノズルユニット３は、第１ノズルソケット４１０および第２ノズルソケット４２０にそれぞれ接続され、衣類の上下方向に沿うように衣類の内部に通される筒状の第１ノズル７１０および第２ノズル７２０を有し、第１ノズル７１０および第２ノズル７２０の周面には、それぞれ、衣類の内面に向かって加熱風を吹き出す第１吹出口７１２および第２吹出口７２２が形成される。【選択図】図１
2018068497.tif 000002
【特許請求の範囲】
【請求項１】
送風機と、
前記送風機から送出された風を加熱する加熱器と、
前記加熱器での加熱により生成された加熱風が排出される排出口部と、
前記排出口部に接続され、衣類の上下方向に沿うように衣類の内部に通される筒状のノズルと、
前記ノズルの周面に形成され、衣類の内面に向かって加熱風を吹き出す吹出口と、
を備えることを特徴とする衣類処理装置。
【請求項２】
請求項１に記載の衣類処理装置において、
前記ノズルを、当該ノズルの軸線方向まわりに回転させる回転機構部を、さらに備える、
ことを特徴とする衣類処理装置。
【請求項３】
送風機と、
前記送風機から送出された風を加熱する加熱器と、
前記加熱器での加熱により生成された加熱風が排出される第１排出口部および第２排出口部と、
前記第１排出口部に接続される筒状の第１ノズルと、
前記第２排出口部に接続され、前記第１ノズルと所定の間隔を有して前記第１ノズルと並行に延びる筒状の第２ノズルと、
前記第１ノズルの周面および前記第２ノズルの周面に形成され、前記第１ノズルと前記第２ノズルとの間に挿入された衣類に向かって加熱風を吹き出す第１吹出口および第２吹出口と、
を備えることを特徴とする衣類処理装置。
【請求項４】
請求項１ないし３の何れか一項に記載の衣類処理装置において、
前記送風機に吸い込まれる空気が通る吸気風路を、さらに備え、
前記吸気風路は、第１の方向に延びる第１風路と、当該第１風路から折り返され前記第１の方向と異なる第２の方向に延びる第２風路とを含み、
前記第１風路および前記第２風路の内壁面に吸音材が装着される、
ことを特徴とする衣類処理装置。
【請求項５】
請求項１ないし４の何れか一項に記載の衣類処理装置において、
加熱風が当てられる前の衣類に水分を付与するために前記送風機から送出された風に水分を含ませる水分供給部を、さらに備える、
ことを特徴とする衣類処理装置。
【発明の詳細な説明】
【技術分野】
【０００１】
本発明は、衣類のしわを伸ばすことが可能な衣類処理装置に関する。
【背景技術】
【０００２】
衣類を収容したボックス型ケース内とダクトとの間で加熱されたマイナスイオン水蒸気を循環させて、ケース内の衣類のしわを伸ばすようにしたボックス型仕上げ機が、特許文献１に記載されている。
【先行技術文献】
【特許文献】
【０００３】
【特許文献１】特開２００４−１８１１９８号公報
【発明の概要】
【発明が解決しようとする課題】
【０００４】
上記ボックス型仕上げ機は、衣類が収容されるボックス型ケースを備える構成であるため、装置本体が大きくなりやすい。このため、上記ボックス型仕上げ機を設置するために、大きな設置スペースが必要となる。
【０００５】
本発明は、かかる課題に鑑みてなされたものであり、大きな設置スペースを要せず、家庭内に簡単に設置できて、衣類のしわ伸ばしが可能な衣類処理装置を提供することを目的とする。
【課題を解決するための手段】
【０００６】
本発明の第１の態様に係る衣類処理装置は、送風機と、前記送風機から送出された風を加熱する加熱器と、前記加熱器での加熱により生成された加熱風が排出される排出口部と、前記排出口部に接続され、衣類の上下方向に沿うように衣類の内部に通される筒状のノズルと、前記ノズルの周面に形成され、衣類の内面に向かって加熱風を吹き出す吹出口と、を備える。
【０００７】
ここで、衣類の上下方向とは、衣類がスーツ、ワイシャツ等のトップスである場合、襟口から裾への方向をいい、衣類がズボン、スカート等のボトムスである場合、ウエスト部分から裾への方向をいう。
【０００８】
上記の構成によれば、衣類の内部に通されたノズルから加熱風を吹き出して衣類の内面に吹き付ける構成であり、衣類を収容するためのケースや収容庫を備えないため、衣類処理装置の設置に大きなスペースを要しない。このため、ユーザは、衣類処理装置を家庭内に簡単に設置して、衣類のしわを伸ばすことができる。
【０００９】
本態様に係る衣類処理装置において、前記ノズルを、当該ノズルの軸線方向まわりに回転させる回転機構部を、さらに備える構成が採られ得る。
【００１０】
上記の構成によれば、吹出口からの加熱風が衣類の内面の広い範囲に吹き付けられる。よって、衣類のしわを良く伸ばすことができる。
【００１１】
本発明の第２の態様に係る衣類処理装置は、送風機と、前記送風機から送出された風を加熱する加熱器と、前記加熱器での加熱により生成された加熱風が排出される第１排出口部および第２排出口部と、前記第１排出口部に接続される筒状の第１ノズルと、前記第２排出口部に接続され、前記第１ノズルと所定の間隔を有して前記第１ノズルと並行に延びる筒状の第２ノズルと、前記第１ノズルの周面および前記第２ノズルの周面に形成され、前記第１ノズルと前記第２ノズルとの間に挿入された衣類に向かって加熱風を吹き出す第１吹出口および第２吹出口と、を備える。
【００１２】
上記の構成によれば、第１ノズルと第２ノズルとの間に通された衣類に第１ノズルおよび第２ノズルから加熱風を吹き出して衣類の外面に吹き付ける構成であり、衣類を収容するためのケースや収容庫を備えないため、衣類処理装置の設置に大きなスペースを要しない。このため、ユーザは、衣類処理装置を家庭内に簡単に設置して、衣類のしわを伸ばすことができる。
【００１３】
第１の態様または第２の態様に係る衣類処理装置において、前記送風機に吸い込まれる空気が通る吸気風路を、さらに備える構成が採られ得る。この場合、前記吸気風路は、第１の方向に延びる第１風路と、当該第１風路から折り返され前記第１の方向と異なる第２の方向に延びる第２風路とを含み、前記第１風路および前記第２風路の内壁面に吸音材が装着される。
【００１４】
上記の構成によれば、吸気風路内に吸音材が設けられるとともに、吸気風路が、風路を折り返す構成とされることで、その経路が長く取れるようになされている。このため、吸気風路内を流れる空気による吸気音を吸音材で効果的に吸音でき、衣類処理装置の静音化を図ることができる。
【００１５】
第１の態様または第２の態様に係る衣類処理装置において、加熱風が当てられる前の衣類に水分を付与するために前記送風機から送出された風に水分を含ませる水分供給部を、さらに備える構成が採られ得る。
【００１６】
上記の構成によれば、加熱風が吹き付けられる前の衣類に水分が含まれた風を当てることで衣類を湿らせておくことができ、ユーザが、予め、霧吹き等により衣類に水を噴霧する作業を行わなくてよくなる。
【発明の効果】
【００１７】
本発明によれば、大きな設置スペースを要せず、家庭内に簡単に設置できて、衣類のしわ伸ばしが可能な衣類処理装置を提供することができる。
【００１８】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１９】
【図１】図１（ａ）は、第１実施形態に係る、衣類処理装置を前方上方から見た斜視図であり、図１（ｂ）は、第１実施形態に係る、衣類処理装置を後方下方から見た斜視図である。
【図２】図２は、第１実施形態に係る、前側ケースを取り外した状態の装置本体の斜視図である。
【図３】図３は、第１実施形態に係る、装置本体の正面斜視断面図である。
【図４】図４は、第１実施形態に係る、吸気ユニットの部分を拡大した装置本体の要部の正面斜視断面図である。
【図５】図５（ａ）は、第１実施形態に係る、ノズルユニットの正面図であり、図５（ｂ）は、第１実施形態に係る、図５（ａ）のＡ−Ａ´断面図である。
【図６】図６は、第１実施形態に係る、ノズルユニットに衣類がセットされ、衣類処理装置によって衣類のしわ伸ばし運転が行われている様子を示す図である。
【図７】図７は、第１実施形態に係る、第１ノズルおよび第２ノズルから加熱風が衣類の内面に吹き付けられる様子を模式的に示す図である。
【図８】図８は、第２実施形態に係る、衣類処理装置を前方上方から見た斜視図である。
【図９】図９（ａ）は、第２実施形態に係る、ノズルユニットを下方から見た図であり、図９（ｂ）は、第２実施形態に係る、図９（ａ）のＢ−Ｂ´断面図である。
【図１０】図１０（ａ）は、第２実施形態に係る、衣類処理装置によって衣類のしわ伸ばし運転が行われている様子を示す図であり、図１０（ｂ）は、第２実施形態に係る、第１ノズルおよび第２ノズルから加熱風が衣類の外面に吹き付けられる様子を模式的に示す図である。
【図１１】図１１は、変更例に係る衣類処理装置について説明するための図である。
【図１２】図１２（ａ）ないし（ｃ）は、変更例に係る衣類処理装置について説明するための図である。
【図１３】図１３は、変更例に係る衣類処理装置について説明するための図である。
【発明を実施するための形態】
【００２０】
以下、本発明の一実施形態について、図面を参照して説明する。
【００２１】
＜第１実施形態＞
まず、第１実施形態に係る衣類処理装置１Ａについて説明する。
【００２２】
図１（ａ）は、第１実施形態に係る、衣類処理装置１Ａを前方上方から見た斜視図であり、図１（ｂ）は、第１実施形態に係る、衣類処理装置１Ａを後方下方から見た斜視図である。図２は、第１実施形態に係る、前側ケース１０１を取り外した状態の装置本体２の斜視図である。図３は、第１実施形態に係る、装置本体２の正面斜視断面図である。図４は、第１実施形態に係る、吸気ユニット５００の部分を拡大した装置本体２の要部の正面斜視断面図である。図５（ａ）は、第１実施形態に係る、ノズルユニット３の正面図であり、図５（ｂ）は、第１実施形態に係る、図５（ａ）のＡ−Ａ´断面図である。なお、図３では、吸気ユニット５００を構成する吸音材５３０の図示が省略されている。
【００２３】
衣類処理装置１Ａは、装置本体２と、ノズルユニット３とを備える。衣類処理装置１Ａは、装置本体２で生成された加熱風を、ノズルユニット３から衣類に勢いよく吹き付けることによって、衣類のしわを伸ばすことができる装置であり、しわ伸ばし装置ということもできる。
【００２４】
装置本体２は、筐体１００と、筐体１００内に設けられた送風ユニット２００、加熱ユニット３００、排出ユニット４００、吸気ユニット５００および電源ユニット６００とを備える。
【００２５】
筐体１００は、上面１００ａ、湾曲面１００ｂおよび前面１００ｃを構成する前側ケース１０１と、左側面１００ｄ、右側面１００ｅ、底面１００ｆおよび後面１００ｇを構成する後側ケース１０２とが結合されることにより形成される。筐体１００は、上面１００ａが前方にやや下り傾斜するとともに、上面１００ａと前面１００ｃとの間に円弧状の湾曲面１００ｂを有する。湾曲面１００ｂには、電源ボタンやスタートボタンを含む操作部１０３が設けられる。筐体１００の後面１００ｇは、上部がやや前方に傾斜する。
【００２６】
筐体１００の右側面１００ｅには、下部に第１吸気口１０４が形成される。第１吸気口１０４は、前後方向に並ぶ多数のスリット状の孔により構成される。また、筐体１００の左側面１００ｄには、第１喚起口１０５が形成される。さらに、筐体１００の底面１００ｆには、右端に第２吸気口１０６が形成され、左端に第２喚起口１０７が形成される。第２吸気口１０６、第１喚起口１０５および第２喚起口１０７の構成は、第１吸気口１０４の構成と同様である。
【００２７】
筐体１００の底面１００ｆには、４つの角部に第１ゴム脚１０８が設けられる。また、筐体１００の後面１００ｇには、上部より下の傾斜していない領域の４つの角部に第２ゴム脚１０９が設けられる。装置本体２が設置面に設置されたとき、第１ゴム脚１０８によって、設置面と筐体１００の底面１００ｆとの間に隙間ができるので、第２吸気口１０６および第２喚起口１０７が設置面で塞がれない。
【００２８】
送風ユニット２００は、送風機２１０と、駆動装置２２０と、接続ダクト２３０とを含む。送風機２１０は、筐体１００内の中央部に設けられる。送風機２１０は、高風量・高静圧タイプの遠心ファンであり、ファンケーシング２１１内に、図示しないモータ一体型のファンを備える。ファンケーシング２１１には、正面に円筒状の吸込口２１２が形成され、周面の上側に円筒状の吐出口２１３が形成される。送風機２１０の最大風量は、たとえば、３ｍ３／ｍｉｎとされ、最大静圧は、たとえば、１１ｋＰａ程度とされる。
【００２９】
駆動装置２２０は、送風機２１０の左側に設けられる。駆動装置２２０は、送風機２１０を駆動するための駆動回路部２２１と、駆動回路部２２１から放熱するための放熱フィン２２２とで構成される。接続ダクト２３０は、ゴムなどのフレキシブルな材料で形成され、ファンケーシング２１１の吐出口２１３に接続される。
【００３０】
加熱ユニット３００は、筐体１００内の上部に設けられる。加熱ユニット３００は、ヒータケース３１０と、第１加熱器３２０と、第２加熱器３３０と、断熱板３４０とを含む。
【００３１】
ヒータケース３１０は、上面が開口する上ケース３１１と、上ケース３１１の上面を覆う上カバー３１２と、上面が開口し、下方から上ケース３１１に取り付けられる下ケース３１３とで構成される。ヒータケース３１０の内部は、上ケース３１１の中央に設けられた仕切壁３１１ａと、上ケース３１１の底面３１１ｂとにより、導入室３１４と、左側の第１ヒータ室３１５と、右側の第２ヒータ室３１６とに区画される。
【００３２】
下ケース３１３には、底面に、導入室３１４に送風機２１０から送出された風を導入するための円筒状の導入口３１７が形成される。導入口３１７に接続ダクト２３０が接続される。また、上ケース３１１の底面３１１ｂには、導入室３１４と第１ヒータ室３１５とを連通させる第１連通口３１８ａと、導入室３１４と第２ヒータ室３１６とを連通させる第２連通口３１８ｂとが形成される。導入室３１４は、導入口３１７から第１連通口３１８ａおよび第２連通口３１８ｂに向かうに従って広くなるような構成とされる。これにより、導入室３１４内での風の流れが良くなる。さらに、上カバー３１２には、第１ヒータ室３１５から加熱風を導出させるための円筒状の第１導出口３１９ａと、第２ヒータ室３１６から加熱風を導出させるための円筒状の第２導出口３１９ｂとが形成される。
【００３３】
第１加熱器３２０は、第１ヒータ室３１５内において、第１連通口３１８ａの上に配置され、第２加熱器３３０は、第２ヒータ室３１６内において、第２連通口３１８ｂの上に配置される。第１加熱器３２０および第２加熱器３３０は、たとえば、ＰＴＣヒータであり、その内部を通過する風を加熱する。なお、第１加熱器３２０および第２加熱器３３０は、本発明の加熱器に相当する。
【００３４】
断熱板３４０は、ヒータケース３１０の外天面に配置され、ヒータケース３１０の熱が排出ユニット４００に伝わるのを抑制する。
【００３５】
排出ユニット４００は、加熱ユニット３００の上方に設けられる。排出ユニット４００は、第１ノズルソケット４１０と、第２ノズルソケット４２０と、第１カラー４３０と、第２カラー４４０と、ノズルブラケット４５０とを含む。
【００３６】
ノズルブラケット４５０は、断熱板３４０の上に配置される。ノズルブラケット４５０は、右側に第１取付開口部４５１を有し、左側に第２取付開口部４５２を有する。第１取付開口部４５１内には第１カラー４３０が装着され、第１カラー４３０がヒータケース３１０の第１導出口３１９ａに嵌め込まれる。また、第２取付開口部４５２内には第２カラー４４０が装着され、第２カラー４４０がヒータケース３１０の第２導出口３１９ｂに嵌め込まれる。
【００３７】
第１ノズルソケット４１０および第２ノズルソケット４２０は、上端部が先細りとなった円筒状を有する。第１ノズルソケット４１０の下端部が第１カラー４３０に連結され、これによって、第１ノズルソケット４１０が第１導出口３１９ａに接続される。また、第２ノズルソケット４２０の下端部が第２カラー４４０に連結され、これによって、第２ノズルソケット４２０が第２導出口３１９ｂに接続される。第１ノズルソケット４１０および第２ノズルソケット４２０は、ノズルブラケット４５０に固定される。なお、第１ノズルソケット４１０は、本発明の排出口部および第１排出口部に相当し、第２ノズルソケット４２０は、本発明の排出口部および第２排出口部に相当する。
【００３８】
筐体１００の上面１００ａには、左右に第１開口部１１０および第２開口部１１１が形成され、これら開口部１１０、１１１から、それぞれ、第１ノズルソケット４１０および第２ノズルソケット４２０が上方に突出する。
【００３９】
吸気ユニット５００は、筐体１００内において、送風機２１０の右側に設けられる。吸気ユニット５００は、吸気ダクト５１０と、吸気フィルタ５２０と、吸音材５３０とを含む。
【００４０】
吸気ダクト５１０は、上下に長いほぼ直方体形状を有し、その内部が吸気風路５１１となる。吸気ダクト５１０の下端部は、吸気風路５１１内への外部の空気の導入口５１２として開口する。導入口５１２は、筐体１００の第１吸気口１０４および第２吸気口１０６に繋がる。吸気ダクト５１０内はＬ字状の仕切板５１３で仕切られ、これによって、吸気風路５１１は、導入口５１２から上方に延びる第１風路５１４と、第１風路５１４の上端部から折り返されるようにして下方に延びる第２風路５１５とで構成される。
【００４１】
仕切板５１３には、第１風路５１４と第２風路５１５とを繋げる連通口５１６が形成され、この連通口５１６に吸気フィルタ５２０が備えられる。吸気フィルタ５２０は、吸気風路５１１内を流れる空気に含まれる塵埃を捕集する。また、仕切板５１３には、第２風路５１５、即ち吸気風路５１１から空気を導出させる導出口５１７が形成され、この導出口５１７に、第１風路５１４内を貫通した送風機２１０の吸込口２１２が接続される。
【００４２】
図４に示すように、吸気ダクト５１０内には、第１風路５１４の内壁面のほぼ全域と第２風路５１５の内壁面のほぼ全域とに吸音材５３０が装着される。吸音材５３０は、ガラスウール、ウレタン等の材料からなり、吸音機能を有する。
【００４３】
電源ユニット６００は、外部の商用電源に接続され、送風機２１０、第１加熱器３２０および第２加熱器３３０を動作させるための電力を生成する。
【００４４】
ノズルユニット３は、第１ノズル７１０と、第２ノズル７２０と、連結体７３０とを含む。第１ノズル７１０および第２ノズル７２０は、細長い円筒状を有し、互いに並行な状態で上下方向に延びる。本実施の形態では、第１ノズル７１０および第２ノズル７２０の長さＬ１が７００ｍｍ程度とされる。なお、第１ノズル７１０および第２ノズル７２０の長さＬ１は５０ｍｍ程度〜１５０ｍｍ程度の範囲とされるとよい。なお、第１ノズル７１０および第２ノズル７２０は、円筒体でなく角筒体であってもよい。第１ノズル７１０および第２ノズル７２０は、本発明のノズルに相当する。
【００４５】
第１ノズル７１０および第２ノズル７２０の周面には、それぞれ、上端部から下端部に亘り、平坦面である第１吹出口領域７１１および第２吹出口領域７２１が形成される。第１吹出口領域７１１には、上下方向に所定の間隔を置いて複数の第１吹出口７１２が形成され、第２吹出口領域７２１には、上下方向に所定の間隔を置いて複数の第２吹出口７２２が形成される。図５（ｂ）に示すように、第１吹出口７１２の開口方向Ｄ１は、ノズルユニット３の正面方向Ｘに対して少し左側、即ち、外側に傾いており、第２吹出口７２２の開口方向Ｄ２は、ノズルユニット３の正面方向Ｘに対して少し右側、即ち、外側に傾いている。
【００４６】
連結体７３０は、第１ノズル７１０と第２ノズル７２０との間隔が、装置本体２の第１ノズルソケット４１０と第２ノズルソケット４２０との間隔と同じになるように第１ノズル７１０の上端部と第２ノズル７２０の上端部とを連結する。連結体７３０は、左右に延びる棒状を有し、左右の端部に、それぞれ、下方に突出する第１嵌込口部７３１と第２嵌込口部７３２とが設けられる。第１嵌込口部７３１に第１ノズル７１０の上端部が嵌め込まれ、第２嵌込口部７３２に第２ノズル７２０の上端部が嵌め込まれる。本実施の形態において、連結体７３０は、衣類が吊られたハンガーを支える支え部として機能する。
【００４７】
ノズルユニット３は、第１ノズル７１０の下端部が第１ノズルソケット４１０に接続され、第２ノズル７２０の下端部が第２ノズルソケット４２０に接続される。
【００４８】
次に、本実施の形態の衣類処理装置１Ａによる衣類のしわ伸ばし運転について説明する。
【００４９】
図６は、第１実施形態に係る、ノズルユニット３に衣類がセットされ、衣類処理装置１Ａによって衣類のしわ伸ばし運転が行われている様子を示す図である。図７は、第１実施形態に係る、第１ノズル７１０および第２ノズル７２０から加熱風が衣類の内面に吹き付けられる様子を模式的に示す図である。
【００５０】
図６に示すように、衣類、たとえば、スーツの上着が吊り下げられたハンガーＨが、が、ノズルユニット３の連結体７３０の上にセットされる。ハンガーＨの下面には凹みがあり、この凹みが連結体７３０に嵌り込む。セットされた衣類の袖口と裾がクリップＫによって止められ、袖口と裾の開口が塞がれる。
【００５１】
衣類の正面方向が、ノズルユニット３の正面方向となる。第１ノズル７１０と第２ノズル７２０とが、衣類の上下方向に沿うように衣類の内部に通された状態となる。ここで、衣類の上下方向とは、衣類がスーツ、ワイシャツ等のトップスである場合、襟口から裾への方向をいい、衣類がズボン、スカート等のボトムスである場合、ウエスト部分から裾への方向をいう。
【００５２】
衣類には、予め、霧吹き等によって水が噴霧される。衣類処理装置１Ａによる衣類のしわ伸ばし運転が開始されると、装置本体２において、送風機２１０、第１加熱器３２０および第２加熱器３３０が作動する。
【００５３】
装置本体２内での風の流れを図３に矢印で示す。送風機２１０の動作により、第１吸気口１０４および第２吸気口１０６を通じて、吸気風路５１１内に外部の空気が取り込まれる。取り込まれた空気は、第１風路５１４を上方へ流れ、折り返されるように吸気フィルタ５２０を通過し、第２風路５１５を下方に流れた後、送風機２１０のファンケーシング２１１内に吸い込まれる。
【００５４】
送風機２１０が大風量タイプであることから、ファンケーシング２１１内に吸込口２１２から大量の空気が吸い込まれ、吸気風路５１１内に大量の空気が流れる。このため、吸気風路５１１内に大きな吸気音が生じやすい。本実施の形態では、吸気風路５１１内に吸音材５３０を設けるとともに、吸気風路５１１は、風路を折り返す構成とすることで、その経路を長く取れるようにしたので、吸音材５３０により効果的に吸音することができる。
【００５５】
ファンケーシング２１１の吐出口２１３からは、大風量の風が送出される。送出された風は、接続ダクト２３０を通ってヒータケース３１０の導入室３１４内に導入される。導入された風の半分は、第１ヒータ室３１５へと流れ、第１加熱器３２０を通過して加熱され、加熱風として第１ノズルソケット４１０から第１ノズル７１０内に排出される。導入された風の残りの半分は、第２ヒータ室３１６へと流れ、第２加熱器３３０を通過して加熱され、加熱風として第２ノズルソケット４２０から第２ノズル７２０内に排出される。
【００５６】
図６および図７の矢印に示すように、第１ノズル７１０および第２ノズル７２０内に導入された加熱風は、第１吹出口７１２および第２吹出口７２２から勢い良く吹き出し、衣類の内面に強く吹き付けられる。吹き付けられた加熱風によって、衣類の前側のしわが伸ばされる。このとき、吹き出される加熱風の風量が大きいため、加熱風が衣類の内部に停滞して衣類が膨らむ。膨らむ際に引っ張られることによっても衣類のしわが伸びる。衣類の袖口や裾がクリップＫで塞がれることで、衣類がより膨らみやすくなり、しわが伸びやすくなる。また、図７に示すように、第１吹出口７１２および第２吹出口７２２が正面方向に対して外側に傾いているため、衣類の内面に当たった加熱風が衣類の袖の方に流れやすく、加熱風が脇口から袖の中に入りやすい。これにより、袖のしわも伸びやすくなる。
【００５７】
衣類の前側のしわが伸ばされると、一旦、しわ伸ばし運転が停止され、衣類の向きが変えられる。即ち、衣類の後側がノズルユニット３の正面を向くように、ハンガーＨがノズルユニット３にセットされる。その後、しわ伸ばし運転が再開され、衣類の後側のしわが伸ばされる。こうして、衣類全体のしわが伸ばされると、しわ伸ばし運転が終了される。
【００５８】
＜第１実施形態の効果＞
以上、本実施の形態によれば、衣類処理装置１Ａは、衣類の内部に通された第１ノズル７１０および第２ノズル７２０から加熱風を吹き出して衣類の内面に吹き付ける構成であり、衣類を収容するためのケースや収容庫を備えないため、衣類処理装置１Ａの設置に大きなスペースを要しない。このため、ユーザは、衣類処理装置１Ａを家庭内に簡単に設置して、衣類のしわを伸ばすことができる。
【００５９】
また、装置本体２では、吸気風路５１１内に吸音材５３０が設けられるとともに、吸気風路５１１が、風路を折り返す構成とされることで、その経路が長く取れるようになされている。このため、吸気風路５１１内を流れる空気による吸気音を吸音材５３０で効果的に吸音でき、衣類処理装置１Ａの静音化を図ることができる。
【００６０】
＜第２実施形態＞
次に、第２実施形態に係る、衣類処理装置１Ｂについて説明する。
【００６１】
図８は、第２実施形態に係る、衣類処理装置１Ｂを前方上方から見た斜視図である。図９（ａ）は、第２実施形態に係る、ノズルユニット５を下方から見た図であり、図９（ｂ）は、第２実施形態に係る、図９（ａ）のＢ−Ｂ´断面図である。
【００６２】
衣類処理装置１Ｂは、装置本体４と、ノズルユニット５とを備える。装置本体４は、装置本体２と同じ構成であるが、装置本体２を寝かせた構成であり、装置本体２の筐体１００の上面１００ａ、前面１００ｃ、左側面１００ｄ、右側面１００ｅ、底面１００ｆおよび後面１００ｇが、それぞれ、装置本体４の筐体１００では、前面１００ａ、上面１００ｃ、右側面１００ｄ、左側面１００ｅ、後面１００ｆおよび底面１００ｇとなる。
【００６３】
ノズルユニット５は、第１ノズル８１０と、第２ノズル８２０と、連結体８３０とを含む。
【００６４】
第１ノズル８１０の構成は、第１吹出口領域８１１および複数の第１吹出口８１２の位置が、第１実施形態の第１吹出口領域７１１および複数の第１吹出口７１２の位置と異なる点を除いて、第１実施形態の第１ノズル７１０の構成と同様である。また、第２ノズル８２０の構成は、第２吹出口領域８２１および複数の第２吹出口８２２の位置が、第２実施形態の第２吹出口領域７２１および複数の第２吹出口７２２の位置と異なる点を除いて、第１実施形態の第２ノズル７２０の構成と同様である。
【００６５】
図９（ｂ）に示すように、第１吹出口８１２の開口方向Ｄ３は、第１ノズル８１０が第２ノズル８２０に正対する方向Ｙ１に対して少し下側に傾いており、第２吹出口８２２の開口方向Ｄ４は、第２ノズル８２０が第１ノズル８１０に正対する方向Ｙ２に対して少し下側に傾いている。
【００６６】
連結体８３０の構成は、第１実施形態の連結体７３０の構成と同様であり、右端部に第１嵌込口部８３１が設けられ、左端部に第２嵌込口部８３２が設けられる。第１嵌込口部８３１に第１ノズル８１０の上端部が嵌め込まれ、第２嵌込口部８３２に第２ノズル８２０の上端部が嵌め込まれることにより、第１ノズル８１０の上端部と第２ノズル８２０の上端部とが連結体８３０によって連結される。
【００６７】
第１ノズル８１０および第２ノズル８２０の長さＬ１と、第１ノズル８１０と第２ノズル８２０との間隔Ｓは、第１ノズル８１０と第２ノズル８２０との間に衣類が挿入できる値に設定される。たとえば、本実施の形態では、第１ノズル８１０および第２ノズル８２０の長さＬ１は、７００ｍｍ程度とされ、第１ノズル８１０と第２ノズル８２０との間隔Ｓは、１５０ｍｍ程度とされる。
【００６８】
次に、本実施の形態の衣類処理装置１Ｂによる衣類のしわ伸ばし運転について説明する。
【００６９】
図１０（ａ）は、第２実施形態に係る、衣類処理装置１Ｂによって衣類のしわ伸ばし運転が行われている様子を示す図であり、図１０（ｂ）は、第２実施形態に係る、第１ノズル８１０および第２ノズル８２０から加熱風が衣類の外面に吹き付けられる様子を模式的に示す図である。
【００７０】
図１０（ａ）に示すように、第１ノズル８１０と第２ノズル８２０との間に衣類が挿入される。このとき、衣類処理装置１Ｂは、衣類が上下動できるだけの高さを確保するため、たとえば、テーブル等の設置台に置かれる。
【００７１】
衣類には、予め、霧吹き等によって水が噴霧される。衣類処理装置１Ｂによる衣類のしわ伸ばし運転が開始されると、装置本体４で生成された加熱風が、第１ノズル８１０および第２ノズル８２０内に導入される。図１０（ｂ）の矢印に示すように、第１ノズル８１０および第２ノズル８２０内に導入された加熱風は、第１吹出口８１２および第２吹出口８２２から勢い良く吹き出し、衣類の前側と後側とから衣類の外面に強く吹き付けられる。これにより、加熱風が吹きつけられた部分の衣類のしわが伸ばされる。このとき、第１吹出口８１２と第２吹出口８２２は、水平方向に対して少し下側に傾いているので、吹き出した加熱風に重力成分が加わり、加熱風の勢いが増す。よって、より勢い良く加熱風を衣類に当てることができ、しわ伸ばし効果が高まることが期待できる。
【００７２】
図１０（ａ）のように、しわ伸ばし運転中、衣類が上下方向に動かされ、これによって、衣類全体のしわが伸ばされる。こうして、衣類全体のしわが伸ばされると、しわ伸ばし運転が終了される。
【００７３】
＜第２実施形態の効果＞
以上、本実施の形態によれば、衣類処理装置１Ｂは、第１ノズル８１０と第２ノズル８２０との間に通された衣類に第１ノズル８１０および第２ノズル８２０から加熱風を吹き出して衣類の外面に吹き付ける構成であり、衣類を収容するためのケースや収容庫を備えないため、衣類処理装置１Ｂの設置に大きなスペースを要しない。このため、ユーザは、衣類処理装置１Ｂを家庭内に簡単に設置して、衣類のしわを伸ばすことができる。
【００７４】
＜変更例＞
以上、本発明の実施の形態について説明したが、本発明は、上記実施の形態によって何ら制限されるものではなく、また、本発明の実施の形態も、上記以外に種々の変更が可能である。
【００７５】
たとえば、上記第１実施形態において、図１１に示すように、衣類処理装置１Ａに第１ノズル７１０と第２ノズル７２０とを、これらノズル７１０、７２０の軸線方向まわりに回転させる回転機構部９００が備えられてもよい。回転機構部９００は、第１ノズル７１０の下部に設けられた第１ギア９１０と、第２ノズル７２０の下部に設けられた第２ギア９２０と、これら第１ギア９１０と第２ギア９２０に連結される駆動ギア９３０と、駆動ギア９３０を回転させる駆動モータ９４０とで構成される。
【００７６】
駆動モータ９４０が回転すると、駆動ギア９３０、第１ギア９１０および第２ギア９２０が回転し、第１ノズル７１０および第２ノズル７２０が回転する。これにより、第１吹出口７１２および第２吹出口７２２からの加熱風が衣類の内面に全体的に吹き付けられる。よって、このような構成とすれば、衣類の向きを変えたりしなくとも、衣類のしわを全体的に良く伸ばすことができる。
【００７７】
なお、図示しないが、第１ノズル７１０は、下端部がベアリング等の軸受けを介して第１ノズルソケット４１０に回転自在に支持され、上端部が軸受けを介して連結体７３０の第１嵌込口部７３１に回転自在に支持される。同様に、第２ノズル７２０は、下端部が軸受けを介して第２ノズルソケット７４０に回転自在に支持され、上端部が軸受けを介して連結体７３０の第２嵌込口部７３２に回転自在に支持される。
【００７８】
また、上記第１実施形態において、第１吹出口７１２および第２吹出口７２２の配置形態は、適宜変更でされてよい。たとえば、第１吹出口７１２が第１ノズル７１０の周方向において２か所に形成され、第２吹出口７２２が第２ノズル７２０の周方向において２か所に形成される構成が採られてもよい。この場合、たとえば、図１２（ａ）に示すように、一つの第１吹出口７１２が第１ノズル７１０の正面方向を向くように形成され、もう一つの第１吹出口７１２が第１ノズル７１０の左斜め方向を向くように形成され得る。また、一つの第２吹出口７２２が第２ノズル７２０の正面方向を向くように形成され、もう一つの第２吹出口７２２が第２ノズル７２０の右斜め方向を向くように形成され得る。あるいは、図１２（ｂ）に示すように、一つの第１吹出口７１２が第１ノズル７１０の正面方向からやや左に傾く方向を向くように形成され、もう一つの第１吹出口７１２が第１ノズル７１０の背面方向からやや左に傾く方向を向くように形成され得る。また、一つの第２吹出口７２２が第２ノズル７２０の正面方向からやや右に傾く方向を向くように形成され、もう一つの第２吹出口７２２が第２ノズル７２０の背面方向からやや右に傾く方向を向くように形成され得る。
【００７９】
また、たとえば、第１吹出口７１２が第１ノズル７１０の周方向において４か所に形成され、第２吹出口７２２が第２ノズル７２０の周方向において４か所に形成される構成が採られてもよい。この場合、たとえば、図１２（ｃ）に示すように、第１ノズル７１０には、図１２（ａ）と同じ位置に２つの第１吹出口７１２が設けられ、これらの第１吹出口７１２と前後方向において対称となる位置に残り２つの第１吹出口７１２が設けられ得る。また、第２ノズル７２０には、図１２（ａ）と同じ位置に２つの第２吹出口７２２が設けられ、これらの第２吹出口７２２と前後方向において対称となる位置に残り２つの第２吹出口７２２が設けられ得る。
【００８０】
図１２（ａ）の構成では、衣類の前側または後側において、衣類の内面の広い範囲に加熱風を吹き付けることができる。図１２（ｂ）の構成では、衣類の前側および後側の内面に加熱風を吹き付けることができる。図１２（ｃ）の構成では、衣類の前側および後側の内面において、衣類の内面の広い範囲に加熱風を吹き付けることができる。但し、加熱風の勢いを維持するため、図１２（ａ）および（ｂ）の構成では、上記第１実施形態よりも大風量の風を送風機２１０から送出させる必要があり、図１２（ｃ）の構成では、図１２（ａ）および（ｂ）の構成よりも大風量の風を送風機２１０から送出させる必要がある。
【００８１】
さらに、第１吹出口７１２および第２吹出口７２２が、第１ノズル７１０および第２ノズル７２０の軸線方向に直線的に並ぶのではなく、ジグザク状に並んでもよい。
【００８２】
さらに、上記第２実施形態において、第１吹出口８１２および第２吹出口８２２の配置形態も、上記第１実施形態と同様、適宜変更でされてよい。たとえば、第１ノズル８１０および第２ノズル８２０には、周方向において２か所以上に第１吹出口８１２および第２吹出口８２２が設けられてもよい。また、第１吹出口８１２および第２吹出口８２２が、第１ノズル８１０および第２ノズル８２０の軸線方向に直線的に並ぶのではなく、ジグザク状に並んでもよい。
【００８３】
さらに、上記第１実施形態の装置本体２および／または上記第２実施形態の装置本体４において、図１３に示すように、送風機２１０から送出された風に水分を含ませるためミスト発生器１０００が設けられてもよい。たとえば、図１３の変更例では、ミスト発生器１０００が、第１ヒータ室３１５と第２ヒータ室３１６のそれぞれに配置される。なお、ミスト発生器１０００は、本発明の水分供給部に相当する。
【００８４】
各ミスト発生器１０００には、筐体１００内に配置された給水タンク（図示せず）から給水ホース１０１０を通じて水が供給される。ミスト発生器１０００は、既知の構成を有し、供給された水を用いてミストを発生させる。
【００８５】
衣類処理装置１Ａ（１Ｂ）では、しわ伸ばし運転を開始する前に、第１加熱器３２０および第２加熱器３３０が停止された状態で送風機２１０および２つのミスト発生器１０００が作動する。第１ヒータ室３１５および第２ヒータ室３１６を通過する風に、ミスト発生器１０００から発生したミストが混入する。こうして、水分を含んだ風が、第１ノズル７１０（８１０）および第２ノズル７２０（８２０）へと送られ、第１吹出口７１２（８１２）および第２吹出口７２２（８２２）から衣類に吹き付けられる。これにより、衣類に水分が付与され、衣類が湿った状態となる。よって、ユーザは、予め、霧吹き等により衣類に水を噴霧する作業を行わなくてよくなる。
【００８６】
さらに、上記第１実施形態では、ノズルユニット３が、第１ノズル７１０と第２ノズル７２０の２つのノズルで構成される。しかしながら、ノズルユニット３が、１つのノズルで構成されてもよく、３つ以上のノズルで構成されてもよい。また、第２実施形態において、ノズルユニット５が３つ以上のノズルで構成されてもよい。
【００８７】
さらに、上記第１実施形態において、第１ノズル７１０および第２ノズル７２０が軸線方向に伸縮できてもよく、上記第２実施形態において、第１ノズル８１０および第２ノズル８２０が軸線方向に伸縮できてもよい。
【００８８】
この他、本発明の実施の形態は、特許請求の範囲に示された技術的思想の範囲内において、適宜、種々の変更が可能である。
【符号の説明】
【００８９】
１Ａ  衣類処理装置
１Ｂ  衣類処理装置
２１０  送風機
３２０  第１加熱器（加熱器）
３３０  第２加熱器（加熱器）
４１０  第１ノズルソケット（排出口部、第１排出口部）
４２０  第２ノズルソケット（排出口部、第２排出口部）
５１１  吸気風路
５１４  第１風路
５１５  第２風路
５３０  吸音材
７１０  第１ノズル（ノズル）
７２０  第２ノズル（ノズル）
７１２  第１吹出口（吹出口）
７２２  第２吹出口（吹出口）
８１０  第１ノズル
８２０  第２ノズル
８１２  第１吹出口
８２２  第２吹出口
９００  回転機構部
１０００  ミスト発生器（水分供給部）
【図１】
2018068497.tif 000003
【図２】
2018068497.tif 000004
【図３】
2018068497.tif 000005
【図４】
2018068497.tif 000006
【図５】
2018068497.tif 000007
【図６】
2018068497.tif 000008
【図７】
2018068497.tif 000009
【図８】
2018068497.tif 000010
【図９】
2018068497.tif 000011
【図１０】
2018068497.tif 000012
【図１１】
2018068497.tif 000013
【図１２】
2018068497.tif 000014
【図１３】
2018068497.tif 000015